(57)【特許請求の範囲】
【請求項１】
放送されたコンテンツを受信するコンテンツ受信装置において、
コンテンツ放送装置から供給される、メタデータの放送スケジュールおよび前記メタデータのロケーション情報を少なくとも含むサービス情報を、インタネットを介して取得する取得部と、
取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、
取得された前記メタデータに基づき、放送される前記コンテンツのダウンロード予約を生成する生成部と、
生成された前記ダウンロード予約に従い、放送された前記コンテンツを受信して蓄積するダウンロード部と
を備えるコンテンツ受信装置。
【請求項２】
前記サービス情報は、対応する前記メタデータに対応する前記コンテンツが自動ダウンロード型であるか、選択ダウンロード型であるかを示すサービスタイプ情報をさらに含み、
前記生成部は、前記サービス情報の前記サービスタイプ情報を参照し、取得された前記メタデータに対応する前記コンテンツが選択ダウンロード型である場合、取得された前記メタデータに基づいてダウンロード可能なコンテンツのリストを前記ユーザに提示し、前記リストに対する前記ユーザの選択操作に応じて前記ダウンロード予約を生成する
請求項１に記載のコンテンツ受信装置。
【請求項３】
前記サービス情報は、対応する前記メタデータに対応する前記コンテンツが自動ダウンロード型であるか、選択ダウンロード型であるかを示すサービスタイプ情報をさらに含み、
前記生成部は、前記サービス情報の前記サービスタイプ情報を参照し、取得された前記メタデータに対応する前記コンテンツが自動ダウンロード型である場合、取得された前記メタデータに基づいて前記ダウンロード予約を生成する
請求項１または２に記載のコンテンツ受信装置。
【請求項４】
前記取得部は、コンテンツダウンロードサービスの利用登録を済ませたユーザによって入力される登録情報を前記コンテンツ放送装置に通知し、前記登録情報に応じて前記コンテンツ放送装置から供給される前記サービス情報を、前記インタネットを介して取得する
請求項１から３のいずれかに記載のコンテンツ受信装置。
【請求項５】
前記メタデータ受信部は、取得された前記サービス情報に含まれているサービスコードと、前記サービス情報に基づいて受信した前記メタデータのサービスコードが一致した場合のみ、受信した前記メタデータを取得する
請求項１から４のいずれかに記載のコンテンツ受信装置。
【請求項６】
前記メタデータ受信部は、取得した前記メタデータが暗号化されている場合、前記サービス情報に含まれる復号鍵を用いて前記メタデータを復号する
請求項１から５のいずれかに記載のコンテンツ受信装置。
【請求項７】
放送されたコンテンツを受信するコンテンツ受信装置のコンテンツ受信方法において、
前記コンテンツ受信装置による、
コンテンツ放送装置から供給される、メタデータの放送スケジュールおよび前記メタデータのロケーション情報を少なくとも含むサービス情報を、インタネットを介して取得し、
取得された前記サービス情報に基づき、前記コンテンツの放送スケジュールおよび前記コンテンツのロケーション情報を少なくとも含む、前記コンテンツ放送装置から放送された前記メタデータを取得し、
取得された前記メタデータに基づき、放送される前記コンテンツのダウンロード予約を生成し、
生成された前記ダウンロード予約に従い、放送された前記コンテンツを受信して蓄積する
ステップを含むコンテンツ受信方法。
【請求項８】
放送されたコンテンツを受信するコンピュータを、
コンテンツ放送装置から供給される、メタデータの放送スケジュールおよび前記メタデータのロケーション情報を少なくとも含むサービス情報を、インタネットを介して取得する取得部と、
取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、
取得された前記メタデータに基づき、放送される前記コンテンツのダウンロード予約を生成する生成部と、
生成された前記ダウンロード予約に従い、放送された前記コンテンツを受信して蓄積するダウンロード部と
して機能させるプログラム。
【請求項９】
コンテンツを放送するコンテンツ放送装置において、
コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、
前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部と
を備えるコンテンツ放送装置。
【請求項１０】
コンテンツを放送するコンテンツ放送装置のコンテンツ放送方法において、
前記コンテンツ放送装置による、
コンテンツ受信装置からの要求に応じて、メタデータの放送スケジュールおよび前記メタデータのロケーション情報を少なくとも含むサービス情報を、インタネットを介して前記コンテンツ受信装置に供給し、
前記コンテンツの放送スケジュールおよび前記コンテンツのロケーション情報を少なくとも含む前記メタデータを、前記サービス情報に含まれる前記メタデータの放送スケジュールに従って放送し、
前記メタデータに含まれる前記コンテンツの放送スケジュールに従って前記コンテンツを放送する
ステップを含むコンテンツ放送方法。
【請求項１１】
コンテンツを放送するコンピュータを、
コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、
前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部と
して機能させるプログラム。
【請求項１２】
コンテンツを放送するコンテンツ放送装置と、放送された前記コンテンツを受信するコンテンツ受信装置から構成されるコンテンツ放送システムにおいて、
前記コンテンツ放送装置は、
コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、
前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部とを備え、
前記コンテンツ受信装置は、
コンテンツ放送装置から供給される、メタデータの放送スケジュールおよび前記メタデータのロケーション情報を少なくとも含むサービス情報を、インタネットを介して取得する取得部と、
取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、
取得された前記メタデータに基づき、放送される前記コンテンツのダウンロード予約を生成する生成部と、
生成された前記ダウンロード予約に従い、放送された前記コンテンツを受信して蓄積するダウンロード部とを備える
コンテンツ放送システム。
【発明の詳細な説明】
【技術分野】
【０００１】
本開示は、コンテンツ受信装置、コンテンツ受信方法、コンテンツ放送装置、コンテンツ放送方法、プログラム、およびコンテンツ放送システムに関し、特に、放送波を利用し、特定のユーザのみを対象とするコンテンツのダウンロードサービスを実現するようにしたコンテンツ受信装置、コンテンツ受信方法、コンテンツ放送装置、コンテンツ放送方法、プログラム、およびコンテンツ放送システムに関する。
【背景技術】
【０００２】
テレビジョン放送波のデジタル化に伴い、その帯域がより有効に活用可能となり、テレビジョン放送波を用いてテレビジョン番組を放送するだけでなく、各種のデータもテレビジョン番組と同時に放送することができるようになっている。これを利用して、例えば、データ放送の送信、テレビジョン受像機などの制御用プログラムのアップデートデータの送信などが行われている。
【０００３】
また、例えば、テレビジョン番組とは異なるコンテンツを所定の放送スケジュールに従って放送し、これを受信装置により受信して蓄積し（ダウンロードし）、ダウンロードしたコンテンツを任意のタイミングで利用（再生）することができる、放送波を利用するコンテンツダウンロードサービスが提案されている（例えば、特許文献１参照）。
【０００４】
テレビジョン放送波を利用するコンテンツダウンロードサービスによれば、当該サービスに対応する受信装置のユーザは、ダウンロード済みのコンテンツを任意のタイミングで視聴することができる。
【先行技術文献】
【特許文献】
【０００５】
【特許文献１】特開２００６−２８７７６９号公報
【発明の概要】
【発明が解決しようとする課題】
【０００６】
ところで、テレビジョン放送波を利用するコンテンツダウンロードサービスを、映画、楽曲などのコンテンツを一般的な利用者を対象としてダウンロードさせる運用だけでなく、特定の利用者のみを対象として、当該特定の利用者向けのコンテンツをダウンロードさせる運用にも利用することが考えられる。
【０００７】
ただし、特定の利用者のみを対象として当該特定の利用者向けのコンテンツをダウンロードさせる運用では、当該特定の利用者以外には、当該特定の利用者向けのコンテンツがテレビジョン放送波により放送されていることなどを秘匿することが望ましい。
【０００８】
しかしながら、従来提案されている、テレビジョン放送波を利用するコンテンツダウンロードサービスでは、当該特定の利用者以外に、当該特定の利用者向けのコンテンツが放送されていることなどを秘匿する方法が確立されていない。
【０００９】
本開示はこのような状況に鑑みてなされたものであり、放送波を利用したコンテンツダウンロードサービスにおいて、特定の利用者のみを対象としたコンテンツが放送されていることを第三者に秘匿できるようにするものである。
【課題を解決するための手段】
【００１０】
本開示の第１の側面であるコンテンツ受信装置は、放送されたコンテンツを受信するコンテンツ受信装置において、コンテンツ放送装置から供給される、メタデータの放送スケジュールおよび前記メタデータのロケーション情報を少なくとも含むサービス情報を、インタネットを介して取得する取得部と、取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、取得された前記メタデータに基づき、放送される前記コンテンツのダウンロード予約を生成する生成部と、生成された前記ダウンロード予約に従い、放送された前記コンテンツを受信して蓄積するダウンロード部とを備える。
前記サービス情報は、対応する前記メタデータに対応する前記コンテンツが自動ダウンロード型であるか、選択ダウンロード型であるかを示すサービスタイプ情報をさらに含み、
前記生成部は、前記サービス情報の前記サービスタイプ情報を参照し、取得された前記メタデータに対応する前記コンテンツが選択ダウンロード型である場合、取得された前記メタデータに基づいてダウンロード可能なコンテンツのリストを前記ユーザに提示し、前記リストに対する前記ユーザの選択操作に応じて前記ダウンロード予約を生成することができる。
前記サービス情報は、対応する前記メタデータに対応する前記コンテンツが自動ダウンロード型であるか、選択ダウンロード型であるかを示すサービスタイプ情報をさらに含み、
前記生成部は、前記サービス情報の前記サービスタイプ情報を参照し、取得された前記メタデータに対応する前記コンテンツが自動ダウンロード型である場合、取得された前記メタデータに基づいて前記ダウンロード予約を生成することができる。
【００１１】
前記取得部は、コンテンツダウンロードサービスの利用登録を済ませたユーザによって入力される登録情報を前記コンテンツ放送装置に通知し、前記登録情報に応じて前記コンテンツ放送装置から供給される前記サービス情報を、前記インタネットを介して取得することができる。
【００１２】
前記メタデータ受信部は、取得された前記サービス情報に含まれているサービスコードと、前記サービス情報に基づいて受信した前記メタデータのサービスコードが一致した場合のみ、受信した前記メタデータを取得することができる。
【００１３】
前記メタデータ受信部は、取得した前記メタデータが暗号化されている場合、前記サービス情報に含まれる復号鍵を用いて前記メタデータを復号することができる。
【００１６】
本開示の第１の側面であるコンテンツ受信方法は、放送されたコンテンツを受信するコンテンツ受信装置のコンテンツ受信方法において、前記コンテンツ受信装置による、コンテンツ放送装置から供給される、メタデータの放送スケジュールおよび前記メタデータのロケーション情報を少なくとも含むサービス情報を、インタネットを介して取得し、取得された前記サービス情報に基づき、前記コンテンツの放送スケジュールおよび前記コンテンツのロケーション情報を少なくとも含む、前記コンテンツ放送装置から放送された前記メタデータを取得し、取得された前記メタデータに基づき、放送される前記コンテンツのダウンロード予約を生成し、生成された前記ダウンロード予約に従い、放送された前記コンテンツを受信して蓄積するステップを含む。
【００１７】
本開示の第１の側面であるプログラムは、放送されたコンテンツを受信するコンピュータを、コンテンツ放送装置から供給される、メタデータの放送スケジュールおよび前記メタデータのロケーション情報を少なくとも含むサービス情報を、インタネットを介して取得する取得部と、取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、取得された前記メタデータに基づき、放送される前記コンテンツのダウンロード予約を生成する生成部と、生成された前記ダウンロード予約に従い、放送された前記コンテンツを受信して蓄積するダウンロード部として機能させる。
【００１８】
本開示の第１の側面においては、コンテンツ放送装置から供給される、メタデータの放送スケジュールおよびメタデータのロケーション情報を少なくとも含むサービス情報が、インタネットを介して取得され、取得されたサービス情報に基づき、コンテンツの放送スケジュールおよびコンテンツのロケーション情報を少なくとも含む、コンテンツ放送装置から放送されたメタデータが取得され、取得されたメタデータに基づき、放送されるコンテンツのダウンロード予約が生成され、生成されたダウンロード予約に従い、放送されたコンテンツが受信されて蓄積される。
【００１９】
本開示の第２の側面であるコンテンツ放送装置は、コンテンツを放送するコンテンツ放送装置において、コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部とを備える。
【００２０】
本開示の第２の側面であるコンテンツ放送方法は、コンテンツを放送するコンテンツ放送装置のコンテンツ放送方法において、前記コンテンツ放送装置による、コンテンツ受信装置からの要求に応じて、メタデータの放送スケジュールおよび前記メタデータのロケーション情報を少なくとも含むサービス情報を、インタネットを介して前記コンテンツ受信装置に供給し、前記コンテンツの放送スケジュールおよび前記コンテンツのロケーション情報を少なくとも含む前記メタデータを、前記サービス情報に含まれる前記メタデータの放送スケジュールに従って放送し、前記メタデータに含まれる前記コンテンツの放送スケジュールに従って前記コンテンツを放送するステップを含む。
【００２１】
本開示の第２の側面であるプログラムは、コンテンツを放送するコンピュータを、コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部として機能させる。
【００２２】
本開示の第２の側面においては、コンテンツ受信装置からの要求に応じて、メタデータの放送スケジュールおよびメタデータのロケーション情報を少なくとも含むサービス情報が、インタネットを介してコンテンツ受信装置に供給され、コンテンツの放送スケジュールおよびコンテンツのロケーション情報を少なくとも含むメタデータが、サービス情報に含まれるメタデータの放送スケジュールに従って放送され、メタデータに含まれるコンテンツの放送スケジュールに従ってコンテンツが放送される。
【００２３】
本開示の第３の側面であるコンテンツ放送システムは、コンテンツを放送するコンテンツ放送装置と、放送された前記コンテンツを受信するコンテンツ受信装置から構成されるコンテンツ放送システムにおいて、前記コンテンツ放送装置が、コンテンツ受信装置からの要求に応じて、メタデータの放送スケジュールおよび前記メタデータのロケーション情報を少なくとも含むサービス情報を、インタネットを介して前記コンテンツ受信装置に供給する供給部と、前記コンテンツの放送スケジュールおよび前記コンテンツのロケーション情報を少なくとも含む前記メタデータを、前記サービス情報に含まれる前記メタデータの放送スケジュールに従って放送するとともに、前記メタデータに含まれる前記コンテンツの放送スケジュールに従って前記コンテンツを放送する放送部とを備える。また、前記コンテンツ受信装置が、コンテンツ放送装置から供給される、メタデータの放送スケジュールおよび前記メタデータのロケーション情報を少なくとも含むサービス情報を、インタネットを介して取得する取得部と、取得された前記サービス情報に基づき、前記コンテンツの放送スケジュールおよび前記コンテンツのロケーション情報を少なくとも含む、前記コンテンツ放送装置から放送された前記メタデータを取得するメタデータ受信部と、取得された前記メタデータに基づき、放送される前記コンテンツのダウンロード予約を生成する生成部と、生成された前記ダウンロード予約に従い、放送された前記コンテンツを受信して蓄積するダウンロード部とを備える。
【００２４】
本開示の第３の側面においては、コンテンツ放送装置により、コンテンツ受信装置からの要求に応じて、メタデータの放送スケジュールおよびメタデータのロケーション情報を少なくとも含むサービス情報が、インタネットを介してコンテンツ受信装置に供給され、コンテンツの放送スケジュールおよびコンテンツのロケーション情報を少なくとも含むメタデータが、サービス情報に含まれるメタデータの放送スケジュールに従って放送され、メタデータに含まれるコンテンツの放送スケジュールに従ってコンテンツが放送される。また、コンテンツ受信装置により、コンテンツ放送装置から供給される、メタデータの放送スケジュールおよびメタデータのロケーション情報を少なくとも含むサービス情報が、インタネットを介して取得され、取得されたサービス情報に基づき、コンテンツの放送スケジュールおよびコンテンツのロケーション情報を少なくとも含む、コンテンツ放送装置から放送されたメタデータが取得され、取得されたメタデータに基づき、放送されるコンテンツのダウンロード予約が生成され、生成されたダウンロード予約に従い、放送されたコンテンツが受信されて蓄積される。
【発明の効果】
【００２５】
本開示の第１の側面によれば、特定の利用者のみを対象としたコンテンツを、ユーザが特定の利用者に属する場合のみ、受信することができる。
【００２６】
本開示の第２の側面によれば、特定の利用者のみを対象としたコンテンツを、第三者に秘匿して放送することができる。
【００２７】
本開示の第３の側面によれば、放送波を利用したコンテンツダウンロードサービスにおいて、特定の利用者のみを対象としたコンテンツが放送されていることを第三者に秘匿することができる。
【図面の簡単な説明】
【００２８】
【図１】本開示を適用した特定ユーザ向けコンテンツ放送システムの構成例を示すブロック図である。
【図２】コンテンツ放送装置と受信装置の詳細な構成例を示すブロック図である。
【図３】サービス情報のデータ構造を示す図である。
【図４】メタデータのデータ構造を示す図である。
【図５】メタデータとコンテンツを放送する放送ストリームのレイヤ構造を示す図である。
【図６】FDTのデータ構造を示す図である。
【図７】特定ユーザ向けコンテンツ放送システムの動作を説明するフローチャートである。
【図８】メタデータ受信処理を詳述するフローチャートである。
【発明を実施するための形態】
【００２９】
以下、発明を実施するための最良の形態（以下、実施の形態と称する）について、図面を参照しながら詳細に説明する。
【００３０】
＜１．実施の形態＞
［本開示の実施の形態である特定ユーザ向けコンテンツ放送システムの概要］
図１は、本開示の実施の形態である特定ユーザ向けコンテンツ放送システムの構成例を示している。
【００３１】
この特定ユーザ向けコンテンツ放送システム１は、映画、楽曲などのコンテンツを一般ユーザ向けにダウンロードさせる運用に加えて、特定の利用者のみを対象として当該特定の利用者向けのコンテンツをダウンロードさせるものである。
【００３２】
特定の利用者のみを対象として当該特定の利用者向けのコンテンツをダウンロードさせるとは、具体的には、例えば、特定の業界に属する人を対象としたコンテンツの配信、特定の宗教団体の信仰者を対象とした教義としてのコンテンツの配信、特定の教育機関にて学ぶ学習者を対象とした教材としてのコンテンツの配信、特定のオーディオ機器にて再生可能なオーディオコンテンツの配信、特定のゲーム機器にて利用可能なゲームプログラムの配信、特定の家電製品専用のEPGデータの配信、特定の家電製品の制御プログラムのアップデートデータの配信パーソナルコンピュータ用のOSやアプリケーションプログラムまたはこれらのアップデートデータの配信などへの適用が想定される。
【００３３】
この特定ユーザ向けコンテンツ放送システム１は、放送局などに設置されるコンテンツ放送装置１０、およびユーザ宅などに設置される受信装置２０から構成される。
【００３４】
コンテンツ放送装置１０には、特定ユーザ向け特殊コンテンツサービス事業者６−１、特定ユーザ向け標準コンテンツサービス事業者６−２、および一般ユーザ向け標準コンテンツサービス事業者６−３のそれぞれから特殊コンテンツまたは標準コンテンツと、そのメタデータが供給される。以下、特定ユーザ向け特殊コンテンツサービス事業者６−１、特定ユーザ向け標準コンテンツサービス事業者６−２、および一般ユーザ向け標準コンテンツサービス事業者６−３を個々に区別する必要がない場合、単にサービス事業者６と称する。
【００３５】
ここで、標準コンテンツとは、一般的に普及しているデータフォーマット（エンコード方式など）のコンテンツ、例えば、ビデオのコンテンツであればMPEG２、H.264など、オーディオのコンテンツであればAAC、MP3などのコンテンツを指すものとする。これに対して、特殊コンテンツとは、一般的に普及していないデータフォーマットのコンテンツを指すものとする。
【００３６】
コンテンツ放送装置１０は、所定の放送スケジュールに従い、今後放送されるコンテンツのメタデータを、テレビジョン放送波を用いて放送する。また、コンテンツ放送装置１０は、所定の放送スケジュールに従ってコンテンツを、テレビジョン放送波を用いて放送する。なお、コンテンツ放送装置１０がメタデータおよびコンテンツを放送するテレビジョン放送波は、図示するように衛星２を介するものの他、地上波や、CATV網などの通信ケーブルを介するものであってもよい。
【００３７】
受信装置２０は、コンテンツ放送装置１０から放送されたテレビジョン放送波を受信し、そこに多重化されているメタデータを取得して保持する。また、受信装置２０は、保持したメタデータに従い、テレビジョン放送波に多重化されている特殊コンテンツや標準コンテンツを取得して保存する（ダウンロードする）。
【００３８】
さらに、受信装置２０は、ユーザインタフェースとなる各種の画面をモニタとしてのテレビジョン受像機（不図示）などに出力する。また、受信装置２０は、ダウンロードした特殊コンテンツや標準コンテンツを、ユーザからの操作に従い、任意のタイミングで再生し、その結果得られる映像および音声をテレビジョン受像機などに出力する。
【００３９】
ただし、受信装置２０が特定ユーザ向け特殊コンテンツサービス事業者６−１からの特殊コンテンツ、および特定ユーザ向け標準コンテンツサービス事業者６−２からの標準コンテンツをダウンロードするためには、ユーザが情報端末４を操作し、インタネット３を介して所定のサーバにアクセスし、利用登録を行う必要がある。
【００４０】
ここで、情報端末４は、インタネット３を介して所定のサーバにアクセス可能なパーソナルコンピュータなどである。情報端末４と同等の機能を受信装置２０に内蔵するようにしてもよい。
【００４１】
なお、受信装置２０が一般ユーザ向け標準コンテンツサービス事業者６−３からの標準コンテンツをダウンロードするためにも、ユーザが情報端末４を用いて利用登録を行うようにしてもよい。
【００４２】
また、受信装置２０をテレビジョン受像機などに内蔵させるようにしてもよい。
【００４３】
受信装置２０が特殊コンテンツおよび標準コンテンツをダウンロードできることに対し、従来の受信装置５は、一般ユーザ向け標準コンテンツサービス事業者６−２からの標準コンテンツのみをダウンロードすることができる。
【００４４】
すなわち、コンテンツ放送装置１０では、特定ユーザ向け特殊コンテンツサービス事業者６−１からの特殊コンテンツに対応するメタデータ、および特定ユーザ向け標準コンテンツサービス事業者６−２からの標準コンテンツに対応するメタデータを従来の受信装置５が取得できないようにして放送している（詳細後述）。
【００４５】
よって、従来の受信装置５では、特定ユーザ向け特殊コンテンツサービス事業者６−１からの特殊コンテンツ、および特定ユーザ向け標準コンテンツサービス事業者６−２からの標準コンテンツが放送されていることを利用者に提示することができず、それらをダウンロードすることもできない。
【００４６】
［特定ユーザ向けコンテンツ放送システムの詳細な構成例］
図２は、特定ユーザ向けコンテンツ放送システム１を構成するコンテンツ放送装置１０および受信装置２０の詳細な構成例を示している。
【００４７】
コンテンツ放送装置１０は、複数のサービス事業者６にそれぞれ対応する複数のサービス事業者装置３０、放送局Webサーバ４１、およびDL（ダウンロード）放送送出装置４２から構成される。
【００４８】
各サービス事業者装置３０は、サービス事業者Webサーバ３１、サービス事業者顧客管理サーバ３２、サービス事業者メタデータサーバ３３、サービス事業者コンテンツサーバ３４、およびサービス事業者DRMサーバ３５から構成される。
【００４９】
サービス事業者Webサーバ３１は、受信装置２０のユーザが情報端末４を用い、インタネット３を介してアクセスするサーバである。サービス事業者Webサーバ３１は、情報端末４からの要求に応じ、サービス利用登録ページ（Webページ）を表示させるためのHTML(Hypertext Markup Language)文書などを、インタネット３を介して情報端末４に供給する。
【００５０】
そして、サービス事業者Webサーバ３１は、サービス利用登録ページ上に入力されるユーザの利用者情報を、インタネット３を介して情報端末４から取得してサービス事業者顧客管理サーバ３２に供給して登録させる。この利用者情報には、当該ユーザの住所、氏名などの個人情報の他、クレジットカード番号などの決済情報が含まれている。
【００５１】
また、サービス事業者Webサーバ３１は、サービス事業者顧客管理サーバ３２にて発行される、利用登録を行ったユーザに対する申込番号およびパスワードを情報端末４に通知する。
【００５２】
サービス事業者顧客管理サーバ３２は、サービス事業者Webサーバ３１からの利用者情報に応じて、ユーザに対する申込番号およびパスワードを発行してサービス事業者Webサーバ３１に通知する。さらに、サービス事業者顧客管理サーバ３２は、利用登録を行ったユーザの利用者情報と、発行した申込番号およびパスワードとを対応づけて登録する。さらに、サービス事業者顧客管理サーバ３２は、所定のタイミングにおいて、利用者情報に含まれる決済情報を用い、コンテンツダウンロードサービスを利用することに対する代金の決済を行う。
【００５３】
なお、発行される申込番号には、当該サービス事業者６が提供しているコンテンツダウンロードサービスを一意に識別するためのサービスコードと、ユーザＩＤとが含まれている。
【００５４】
サービス事業者メタデータサーバ３３は、サービス事業者６から供給されるコンテンツに対応するメタデータを保持しており、所定の放送スケジュールに合わせて、保持しているメタデータを暗号化してDL放送送出装置４２に出力する。なお、メタデータを暗号化しなくてもよい。
【００５５】
なお、メタデータには、対応するコンテンツの放送スケジュール情報などが含まれている（詳細は図４を参照して後述する）。したがって、メタデータは、対応するコンテンツの放送に先行して放送され、受信装置２０においては、このメタデータに基づいて、対応するコンテンツが受信される。
【００５６】
サービス事業者コンテンツサーバ３４は、サービス事業者６から供給されるコンテンツ（特殊コンテンツ、または標準コンテンツ）を保持しており、所定の放送スケジュールに合わせて、保持しているコンテンツを暗号化してDL放送送出装置４２に出力する。
【００５７】
サービス事業者DRM(Digital Rights Management)サーバ３５は、受信装置２０のDRMクライアント５５からの要求に応じ、受信装置２０のユーザが正規のユーザであるか否かをサービス事業者顧客管理サーバ３２に確認する。そして、受信装置２０のユーザが正規のユーザである場合、受信装置２０がダウンロードしたコンテンツを再生するときに必要となるコンテンツ鍵を含むライセンスを、インタネット３上にセキュアな通信路を確保してDRMクライアント５５に供給する。
【００５８】
放送局Webサーバ４１は、受信装置２０のWebブラウザ５１がインタネット３を介してアクセスするサーバである。なお、放送局Webサーバ４１にアクセスするために必要なURL(Uniform Resource Locator)は、例えば、テレビジョン放送波により放送されているデータ放送の画面上の所定のボタンなどにリンクさせておけばよい。
【００５９】
放送局Webサーバ４１は、Webブラウザ５１からの要求に応じ、異なる複数のサービス事業者６による各コンテンツダウンロードサービスの共通の入り口となるサービスエントリページ（Webページ）を表示させるためのBML(Broadcast Markup Language)文書などをWebブラウザ５１に供給する。
【００６０】
さらに、放送局Webサーバ４１は、利用登録時に発行された申込番号およびパスワードがサービスエントリページに入力されることに応じ、申込番号に含まれるサービスコードに対応したサービス情報をWebブラウザ５１に送信する。
【００６１】
このサービス情報は、サービス事業者ごとに予め用意されているものであり、テレビジョン放送波におけるメタデータのロケーション情報や放送スケジュール情報などが含まれている。なお、サービス情報の詳細については、図３を参照して後述する。
【００６２】
DL放送送出装置４２は、サービス事業者メタデータサーバ３３から入力されるメタデータを、所定の放送スケジュールに従ってテレビジョン放送波を用いて放送する。また、DL放送送出装置４２は、サービス事業者コンテンツサーバ３４から入力されるコンテンツを、所定の放送スケジュールに従ってテレビジョン放送波を用いて放送する。
【００６３】
受信装置２０は、Webブラウザ５１、ストレージ５２、ECG処理部５３、DL放送受信部５４、DRMクライアント５５、およびコンテンツ再生部５６から構成される。
【００６４】
Webブラウザ５１は、テレビジョン放送波のデータ放送信号から、当該放送局のデータ放送トップ画面（Webページ）を表示するためのBML文書などを取得して当該画面をテレビジョン受像機（不図示）に表示させる。
【００６５】
そして、Webブラウザ５１は、当該画面上の所定のボタンなどがユーザにより操作されることに応じ、当該所定のボタンにリンクされている放送局Webサーバ４１にインタネット３を介してアクセスし、その結果得られるBML文書などに基づいてサービスエントリページを表示する。さらに、Webブラウザ５１は、サービスエントリページ上でユーザから入力される申込番号およびパスワードを放送局Webサーバ４１に通知し、その結果得られるサービス情報をストレージ５２に保持させる。
【００６６】
ストレージ５２は、ハードディスクドライブなどから成り、Webブラウザ５１が放送局Webサーバ４１から取得するサービス情報、並びにDL放送受信部５４が受信するメタデータおよびコンテンツを保持する。
【００６７】
ECG処理部５３は、ユーザからの所定の操作に応じ、ストレージ５２に保持されたメタデータに基づいて、ダウンロードするコンテンツをユーザに選択させるためのユーザインタフェース（ダウンロード予約可能なコンテンツのリスト）を表示させる。また、ECG処理部５３は、ユーザからの所定の操作に応じ、ストレージ５２に蓄積されたコンテンツに基づいて、ダウンロード済みのコンテンツの中から再生するコンテンツをユーザに選択させるためのユーザインタフェース（ダウンロード済みコンテンツのリスト）を表示させる。
【００６８】
DL放送受信部５４は、ストレージ５２に保持されているサービス情報に含まれるメタデータの放送スケジュール情報に従い、テレビジョン放送波から（今後、ダウンロード用に放送されるコンテンツの）メタデータを受信してストレージ５２に保持させる。
【００６９】
また、DL放送受信部５４は、ストレージ５２に保持されているメタデータのうち、ダウンロード予約が行われたものに含まれるコンテンツの放送スケジュール情報に従い、テレビジョン放送波からコンテンツを受信してストレージ５２に保持させる。
【００７０】
DRMクライアント５５は、コンテンツ放送装置１０のサービス事業者DRMサーバ３５との間でインタネット３上にセキュアな通信路を確立した後、ダウンロードされたコンテンツを復号するために必要なコンテンツ鍵を含むライセンスを取得し、自身で保持する。そして、コンテンツ再生部５６からの要求に応じ、ライセンスに記述されている利用条件を満たす場合にのみ、コンテンツ鍵をコンテンツ再生部５６に供給する。
【００７１】
コンテンツ再生部５６は、ECG処理部５３によって起動され、再生するよう選択されたコンテンツをストレージ５２から読み出し、DRMクライアント５５から供給されるコンテンツ鍵を用いてコンテンツの暗号を復号して再生する。そして、その結果得られる映像および音声をテレビジョン受像機などに出力する。
【００７２】
［サービス情報のデータ構造］
図３は、受信装置２０のWebブラウザ５１がコンテンツ放送装置１０の放送局Webサーバ４１からインタネット３を介して取得するサービス情報のデータ構造を示している。
【００７３】
サービス情報１０１には、サービスコード１０２、サービス名１０３、サービスロゴ１０４、ロケーション情報１０５、放送スケジュール情報１０６、および復号鍵１０７が含まれる。さらに、サービス情報１０１には、サービスタイプ情報１０８、メタデータタイプ情報１０９、サービス有効期限情報１１０、サービス更新開始日時情報１１１、および更新処理サーバURL情報１１２が含まれる。
【００７４】
サービスコード１０２は、当該サービス事業者６が提供しているコンテンツダウンロードサービスを一意に識別するための情報である。サービス名１０３は、当該サービス事業者６が提供しているコンテンツダウンロードサービスの名称である。サービスロゴ１０４は、各サービス事業者６が提供しているコンテンツダウンロードサービスのロゴ（マーク）を表示するための画像データである。
【００７５】
ロケーション情報１０５は、テレビジョン放送波の放送ストリーム上におけるメタデータの位置を、IPアドレス、ポート番号、およびTSI（セッション識別番号）を用いて示す情報である。放送スケジュール情報１０６は、メタデータがテレビジョン放送波を用いて放送される開始時刻とその時間長を示す情報である。
【００７６】
復号鍵１０７は、メタデータが暗号化されている場合にその暗号を復号するために使用される２種類の復号鍵（odd鍵およびeven鍵）である。ただしメタデータの暗号を復号するために用いられるのはodd鍵またはeven鍵の一方であり、他方はメタデータの暗号化に利用される暗号鍵が更新された場合に復号時に用いられる次の（更新用の）復号鍵である。
【００７７】
サービスタイプ情報１０８は、当該コンテンツダウンロードサービスのコンテンツが、ユーザによる選択操作なしで自動的にダウンロードされる自動DL型であるのか、ユーザが選択操作（予約操作）したものがダウンロードされる選択DL型であるのかを示す情報である。
【００７８】
メタデータタイプ情報１０９は、メタデータのデータ構造が標準タイプ、コンテンツ依存タイプ、または事業者独自タイプのいずれであるのかを示す。
【００７９】
サービス有効期限情報１１０は、利用登録を行った受信装置２０のユーザが当該コンテンツダウンロードサービスを利用することができる期限を示す情報である。サービス更新開始日時情報１１１は、ユーザに対してサービス有効期限の延長を促す処理を開始する日時を示す情報である。更新処理サーバURL情報１１２は、サービス有効期限の延長を行う際にアクセスする更新処理サーバ（不図示）のURLである。
【００８０】
［メタデータのデータ構造］
図４は、受信装置２０のDL放送受信部５４がテレビジョン放送波から取得するメタデータのデータ構造を示している。
【００８１】
メタデータ１２１には、表示してユーザに提示するための属性情報としてコンテンツＩＤ１２２、タイトル１２３、コンテンツ情報１２４、ジャンル情報１２５、および料金１２６が含まれる。さらに、メタデータ１２１には、コンテンツをダウンロードするためのコンテンツリンク情報としてコンテンツＩＤ１２７、ロケーション情報１２８、および放送スケジュール情報１２９が含まれる。
【００８２】
属性情報としてのコンテンツＩＤ１２２は、当該メタデータに対応するコンテンツを一意に識別するための情報である。タイトル１２３は、対応するコンテンツの名称である。コンテンツ情報１２４は、対応するコンテンツの内容を説明するための情報である。ジャンル情報１２５は、対応するコンテンツが属するジャンルを示す情報である。料金１２６は、対応するコンテンツの利用料金を示す情報である。
【００８３】
コンテンツリンク情報としてコンテンツＩＤ１２７は、属性情報としてのコンテンツＩＤ１２２と同一の情報である。ロケーション情報１２８は、対応するコンテンツの、テレビジョン放送波の放送ストリーム上における位置を、IPアドレス、ポート番号、およびTSI（セッション識別番号）を用いて示す情報である。放送スケジュール情報１２９は、対応するコンテンツがテレビジョン放送波を用いて放送される時刻とその時間長を示す情報である。
【００８４】
［メタデータおよびコンテンツが放送される放送ストリームのレイヤ構造］
図６は、メタデータおよびコンテンツが放送される放送ストリームのレイヤ構造を示している。
【００８５】
同図に示すように、テレビジョン放送波の放送ストリームは、下層から順に、物理層、トランスポート層、IP層、UDP層、およびFLTE/ALT層が形成されており、メタデータおよびコンテンツは、それぞれFLUTE層のセッションに格納されて放送される。
【００８６】
DL放送受信部５４がメタデータを取得するためには、サービス情報１０１のロケーション情報１０５に対応するFLUTE層のセッションを受信し、図６Ａに示すように、インデックス情報が格納されているTOI＝０のFDTを取得する。
【００８７】
FDTには同じセッションで伝送されている各ファイルにそれぞれ対応するインデックス情報が格納されている。同じセッションで伝送されている各ファイルの１番目のファイルがメタデータのファイルである場合、１番目のファイルのインデックス情報には、メタデータファイルが格納されているFDTのTOI(TOI＝１)、ファイル名、およびファイルタイプが記述されている。さらにインデックス情報には、サービスコード、および暗号化情報が記述されている。
【００８８】
DL放送受信部５４では、メタデータファイルのTOI(TOI＝１)、ファイル名、およびファイルタイプに従ってメタデータを取得できるもののが、インデックス情報のサービスコードと、サービス情報１０１のサービスコード１０２とが一致した場合にのみ当該メタデータファイルを取得するようになされている。
【００８９】
換言すれば、DL放送受信部５４は、メタデータとともにFDTに格納されているサービスコードと、サービス情報１０１のサービスコード１０２とが一致しない場合、当該メタデータファイルを取得しないようになされている。よって、利用登録を行っていないコンテンツダウンロードサービスのメタデータをDL放送受信部５４が取得することはない。
【００９０】
なお、インデックス情報に暗号化情報が含まれている場合には、対応するメタデータが暗号化されていることを示し、暗号化情報は、暗号化されているメタデータを復号するために用いる復号鍵がodd鍵であるかeven鍵であるかを示す。したがって、DL放送受信部５４では、暗号化情報にしたがって、サービス情報１０１の復号鍵１０７に含まれているodd鍵とeven鍵のうちの一方を特定してメタデータの暗号を復号することができる。
【００９１】
上述したように、利用登録を行っていないコンテンツダウンロードサービスのメタデータをDL放送受信部５４が取得することはなく、さらに、何らかの要因によってメタデータが取得されたとしても、それを暗号化しておくことができる。したがって、特定の利用者のみの受信装置２０にメタデータを取得させることができ、これにより、特定の利用者以外に特定の利用者向けのコンテンツが放送されていることなどを秘匿することができる。
【００９２】
［特定ユーザ向けコンテンツ放送システム１の一連の動作］
図７は、特定ユーザ向けコンテンツ放送システム１の一連の動作を説明するフローチャートである。
【００９３】
ステップＳ１において、受信装置２０のユーザが情報端末４を用いて、自己が利用したいコンテンツダウンロードサービスを提供しているサービス事業者のサービス事業者Webサーバ３１に、インタネット３を介してアクセスする。なお、サービス事業者Webサーバ３１にアクセスするために必要なURLなどは、当該ユーザが自己の属する特定の団体などから予め取得しているものとする。
【００９４】
情報端末４からのアクセスに応じ、ステップＳ２１において、サービス事業者Webサーバ３１は、サービス利用登録ページ（Webページ）のHTMLデータなどを、インタネット３を介して情報端末４に送信する。
【００９５】
このHTMLデータなどを受信した情報端末４は、ステップＳ２おいて、サービス利用登録ページを表示する。このサービス利用登録ページ上にてユーザは、自己の利用者情報を入力し、情報端末４は、入力された利用者情報を、インタネット３を介してサービス事業者Webサーバ３１に通知する。
【００９６】
情報端末４から通知された利用者情報を取得したサービス事業者Webページ３１は、ステップＳ２２において、通知された利用者情報をサービス事業者顧客管理サーバ３２に供給する。サービス事業者顧客管理サーバ３２は、サービス事業者Webサーバ３１から供給された利用者情報に応じて、ユーザに対する申込番号およびパスワードを発行してサービス事業者Webサーバ３１に通知する。さらに、サービス事業者顧客管理サーバ３２は、ユーザの利用者情報と、発行した申込番号およびパスワードとを対応づけて登録する。さらに、サービス事業者顧客管理サーバ３２は、所利用者情報に含まれる決済情報を用い、コンテンツダウンロードサービスを利用することに対する代金の決済を行う。
【００９７】
ステップＳ２３において、サービス事業者Webサーバ３１は、サービス事業者顧客管理サーバ３２にて発行された、利用登録を行ったユーザに対する申込番号およびパスワードを、インタネット３を介して情報端末４に通知する。
【００９８】
この通知に応じ、ステップＳ３において、情報端末４は、通知された申込番号およびパスワードを取得する。申込番号およびパスワードを取得したユーザは、これらをメモ書きするなどして、以降の処理に備えるとともに、受信装置２０のWebブラウザ５１を起動させる。
【００９９】
ステップＳ４において、Webブラウザ５１は、ユーザからの操作に従い、放送局Webサーバ４１にアクセスする。
【０１００】
Webブラウザ５１からのアクセスに応じ、ステップＳ２４において、放送局Webサーバ４１は、異なる複数のサービス事業者６による各コンテンツダウンロードサービスの共通の入り口となるサービスエントリページ（Webページ）のBMLデータなどを、インタネット３を介してWebブラウザ５１に送信する。
【０１０１】
このBMLデータなどを受信したWebブラウザ５１は、ステップＳ５において、サービスエントリページをテレビジョン受像機などの画面に表示させる。このサービス利用登録ページ上にてユーザは、ステップＳ３の処理で取得した申込番号およびパスワードを入力し、Webブラウザ５１は、入力された申込番号およびパスワードを、インタネット３を介して放送局Webサーバ４１に通知する。
【０１０２】
申込番号およびパスワードの通知に応じ、ステップＳ２５において、放送局Webサーバ４１は、通知された申込番号に含まれるサービスコードが示すサービス事業者６を特定する。さらに、放送局Webサーバ４１は、特定したサービス事業者６に対応するサービス事業者装置３０のサービス事業者顧客管理サーバ３２に、Webブラウザ５１からの申込番号およびパスワードを通知して、利用登録済みの正規のものであるか否かを認証させる。そして、利用登録済みの正規のものであると認証された場合のみ、放送局Webサーバ４１は、通知された申込番号に含まれるサービスコードが示すサービス事業者６に対応するサービス情報１０１を、インタネット３を介してWebブラウザ５１に送信する。
【０１０３】
この後、コンテンツ放送装置１０では、ステップＳ２７として、DL放送送出装置４２が、サービス事業者メタデータサーバ３３から入力されるメタデータ１２１を、所定の放送スケジュールに従ってテレビジョン放送波を用いて放送する。また、ステップＳ２８として、DL放送送出装置４２が、サービス事業者コンテンツサーバ３４から入力されるコンテンツを、所定の放送スケジュールに従ってテレビジョン放送波を用いて放送する。
【０１０４】
一方、受信装置２０では、ステップＳ６において、Webブラウザ５１が放送局Webサーバ４１からのサービス情報１０１を受信してストレージ５２に保存させる。
【０１０５】
ステップＳ７において、DL放送受信部５４は、ストレージ５２に保存されたサービス情報１０１に基づき、テレビジョン放送波からメタデータ１２１を受信してストレージ５２に保持させる。
【０１０６】
図８は、ステップＳ７の処理（以下、メタデータ受信処理と称する）を詳述するフローチャートである。
【０１０７】
ステップＳ５１において、DL放送受信部５４は、ストレージ５２からサービス情報１０１を読み出し、さらに、サービス情報１０１から、ロケーション情報１０５、および放送スケジュール情報１０６を読み出す。
【０１０８】
ステップＳ５２において、DL放送受信部５４は、ステップＳ５１で読み出したスケジュール情報１０６に基づき、メタデータが放送開始される時刻に合わせてメタデータの受信を開始する。ステップＳ５３において、DL放送受信部５４は、テレビジョン放送波の放送ストリームから、ロケーション情報１０５が示すFLUTE層のセッションを受信し、インデックス情報が格納されているTOI＝０のFDTを取得する。
【０１０９】
ステップＳ５４において、DL放送受信部５４は、ステップＳ５３で取得したインデックス情報に基づき、メタデータファイルのサービスコードと、サービス情報１０１のサービスコード１０２とが一致するか否かを判定し、両者が一致すると判定した場合のみ、処理をステップＳ５５に進める。ここで、両者が一致しないと判定された場合、当該FDTは破棄されてメタデータ受信処理は終了される。
【０１１０】
ステップＳ５５において、DL放送受信部５４は、ステップＳ５３で取得したインデックス情報に基づき、メタデータファイルが格納されているFDTのTOIを特定し（図６の場合、TOI＝１）、特定したTOIのFDTを取得する。すなわち、メタデータファイルを取得する。
【０１１１】
ステップＳ５６において、DL放送受信部５４は、ステップＳ５３で取得したインデックス情報の暗号化情報を参照し、ステップＳ５５で取得したメタデータが暗号化されているか否かを判定する。暗号化されていると判定された場合、処理はステップＳ５７に進められ、DL放送受信部５４は、サービス情報１０１の復号鍵１０７を用いてメタデータの暗号を復号する。なお、ステップＳ５６においてメタデータが暗号化されていないと判定された場合、ステップＳ５７の処理はスキップされる。
【０１１２】
ステップＳ５８において、DL放送受信部５４は、以上の処理により得られたメタデータをストレージ５２に保持させる。以上で、メタデータ受信処理は終了される。
【０１１３】
以上説明したように、メタデータ受信処理では、インデックス情報のサービスコードと、サービス情報１０１のサービスコード１０２とが一致しなければ、当該インデックス情報に対応するメタデータを取得することができない。また、仮に第三者が当該メタデータを取得できたとしても、それを暗号化しておくことができる。したがって、特定の利用者のみの受信装置２０にメタデータを取得させることができ、これにより、第三者に特定の利用者向けのコンテンツが放送されていることなどを秘匿することができる。
【０１１４】
図７に戻る。ステップＳ８において、ECG処理部５３は、ユーザからの所定の操作に応じ、ストレージ５２に保存されたメタデータに基づいて、ダウンロードするコンテンツをユーザに選択させるためのユーザインタフェースの画面をテレビジョン受像機などに表示させる。さらに、ECG処理部５３は、ユーザからの選択操作に応じ、コンテンツのダウンロード予約を行い、その情報をストレージ５２に保持させる。ただし、コンテンツが自動DL型である場合、ユーザからの選択操作の有無に拘わらず、コンテンツのダウンロード予約を行う。
【０１１５】
ステップＳ９において、DL放送受信部５４は、ストレージ５２に保持されているダウンロード予約に従い、対応するメタデータに記述されているコンテンツの放送スケジュール情報に従い、テレビジョン放送波からコンテンツを受信してストレージ５２に保存させる。
【０１１６】
この後、ストレージ５２に保存されたコンテンツは、ECG処理部５３によって表示される、ダウンロード済みのコンテンツの中から再生するコンテンツをユーザに選択させるためのユーザインタフェースに対するユーザの選択操作に応じ、ストレージ５２からコンテンツ再生部５６に読み出されて再生される。
【０１１７】
以上で、特定ユーザ向けコンテンツ放送システム１による一連の動作の説明を終了する。
【０１１８】
以上説明した特定ユーザ向けコンテンツ放送システム１による一連の動作によれば、利用登録を行った利用者の受信装置２０だけがサービス情報１０１を取得することができる。また、受信装置２０は、サービス情報１０１のサービスコード１０２と一致するサービスコードとともにFDTに格納されているメタデータだけを取得することができる。さらに、メタデータを暗号化して放送することもできる。
【０１１９】
これらにより、特定の利用者のみの受信装置２０にメタデータを取得させることができ、これにより、第三者に特定の利用者向けのコンテンツが放送されていることなどを秘匿することができる。
【０１２０】
また、上述した説明においては、情報端末４にてサービス事業者Webサーバ３１から取得した申込番号およびパスワードを、受信装置２０のWebブラウザ５１により表示されるサービスエントリページにユーザが手入力するようにしたが、情報端末４と受信装置２０を有線または無線により接続して、あるいは、半導体メモリを介して申込番号およびパスワードを自動的に入力できるようにしてもよい。
【０１２１】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１２２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２３】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【０１２４】
また、本明細書において、システムとは、複数の装置により構成される装置全体を表すものである。
【０１２５】
なお、本開示の実施の形態は、上述した実施の形態に限定されるものではなく、本開示の要旨を逸脱しない範囲において種々の変更が可能である。
【符号の説明】
【０１２６】
１  特定ユーザ向けコンテンツ放送システム，  １０  コンテンツ放送装置，  ２０  受信装置，  ３０  サービス事業者装置，  ３１  サービス事業者Webサーバ，  ３２  サービス事業者顧客管理サーバ，  ３３  サービス事業者メタデータサーバ，  ３４  サービス事業者コンテンツサーバ，  ３５  サービス事業者DRMサーバ，  ４１  放送局Webサーバ，  ４２  DL放送送出装置，  ５１  Webブラウザ，  ５２  ストレージ，  ５３  ECG処理部，  ５４  DL放送受信部，  ５５  DRMクライアント，  ５６  コンテンツ再生部，  １０１  サービス情報，  １２１  メタデータ
【図１】
0005637409.tif 000002
【図２】
0005637409.tif 000003
【図３】
0005637409.tif 000004
【図４】
0005637409.tif 000005
【図５】
0005637409.tif 000006
【図６】
0005637409.tif 000007
【図７】
0005637409.tif 000008
【図８】
0005637409.tif 000009